(57)【要約】【課題】  衣服の脱いだ時においても手を使わずして衣服を肩や装身具に掛止することができる衣服掛止具であって、歩行中や、混雑した電車の中等の狭い場所においても衣服の掛止又は着衣の動作が迅速かつ簡便に行なうことができる衣服掛止具を提供する。【解決手段】  本発明にかかる衣服掛止具１０は、上記課題を解決するために、身体又は装身具に衣服を掛止するために用いられる器具であって、身体又は装身具に固定可能な第１固定具１と、掛止される衣服に固定可能な第２固定具２と、前記第１固定具１と第２固定具２とを連結する連結部材３とを含むことを特徴としている。【選択図】  図１
2006097220.tif 000002
【特許請求の範囲】
【請求項１】
身体又は装身具に衣服を掛止するために用いられる器具であって、
身体又は装身具に固定可能な第１固定具と、
掛止される衣服に固定可能な第２固定具と、
前記第１固定具と第２固定具とを連結する連結部材とを含むことを特徴とする衣服掛止具。
【請求項２】
上記第１固定具及び／又は第２固定具が、環状部材となっていることを特徴とする請求項１に記載の衣服掛止具。
【請求項３】
上記環状部材の一部が開閉可能に可動することを特徴とする請求項２に記載の衣服掛止具。
【請求項４】
上記第１固定具及び／又は第２固定具が、支点を中心に離着可能に可動する少なくとも２つの部材で構成されており、
前記少なくとも２つの部材の間に身体又は装身具、あるいは掛止される衣服を挟持することによって、身体又は装身具と第１固定具、及び／又は掛止される衣服と第２固定具とを連結することを特徴とする請求項１に記載の衣服掛止具。
【請求項５】
上記連結部材が、長さ調節可能であることを特徴とする請求項１ないし４のいずれか１項に記載の衣服掛止具。
【請求項６】
上記連結部材が脱着可能な脱着部材を備えていることを特徴とする請求項１ないし５のいずれか１項に記載の衣服掛止具。
【請求項７】
上記連結部材を格納可能な筐体が備えられており、前記筐体が第１固定具又は第２固定具と一体的に成型されていることを特徴とする請求項１ないし６のいずれか１項に記載の衣服掛止具。
【請求項８】
上記連結部材の長手方向の距離が３０ｃｍ以上であることを特徴とする請求項１ないし７のいずれか１項に記載の衣服掛止具。
【請求項９】
上記連結部材の幅が２ｃｍ以上６ｃｍ以下であることを特徴とする請求項１ない８のいずれか１項に記載の衣服掛止具。
【請求項１０】
脱衣した衣服を掛止する際に、
上記第１固定具が、身体の前面において身体または装身具と固定され、
かつ上記第２固定具が、身体の後面において掛止される衣服と固定されることを特徴とする請求項１ないし９のいずれか１項に記載の衣服掛止具。
【請求項１１】
脱衣した衣服を掛止する際に、
上記連結部材の一部が、肩上部と接するように装着されることを特徴とする請求項１ないし１０のいずれか１項に記載の衣服掛止具。
【請求項１２】
上記掛止される衣服が、上着であることを特徴とする請求項１ないし１１のいずれか１項に記載の衣服掛止具。
【請求項１３】
上記身体が、腰部であることを特徴とする請求項１ないし１２のいずれか１項に記載の衣服掛止具。
【請求項１４】
上記装身具が、カバンであることを特徴とする請求項１ないし１２のいずれか１項に記載の衣服掛止具。
【請求項１５】
上記第１固定具は、ベルト状の部材を身体又は装身具を内にした状態で折り返し、ベルト状の部材の端部と該端部と対向する部分とを固定部材にて固定させることで、身体又は装身具に固定されるようになっており、
上記第２固定具は、平板をＵ字形状に折曲してなる掛止部材よりなることを特徴とする請求項１に記載の衣服掛止具。
【請求項１６】
平板をＵ字形状に折曲してなる上記掛止部材は、連結部材と接続されていない方の端部側が、外側へせり上がっていることを特徴とする請求項１５に記載の衣服掛止具。
【請求項１７】
上記第１固定具における上記固定部材は、マジックテープ又は咬合部材であることを特徴とする請求項１５または１６に記載の衣服掛止具。
【請求項１８】
当該衣服掛止は、上記第２固定具を中心に巻き付け可能になっており、巻き付けた状態を保持して上記身体又は装身具に固定し得るようになっていることを特徴とする請求項１５ないし１７のいずれか１項に記載の衣服掛止具。
【請求項１９】
上記連結部材は、伸縮自在な帯状部材からなると共に、連結部材の長さを調節する長さ調整部が設けられていることを特徴とする請求項１５に記載の衣服掛止具。
【請求項２０】
上記長さ調整部は、上記連結部材を巻き取って収容する収容部材と、該連結部材を巻き取る巻取状態と連結部材の長さを固定する固定状態とを切り替える切替部材とを有していることを特徴とする請求項１９に記載の衣服掛止具。
【請求項２１】
肩掛けかばん用の衣服掛止具であって、
連結部材は、伸縮自在な帯状部材からなると共に、該帯状部材を２つの部分に切り離し可能な連結部材を有しており、
上記第１の固定具は、肩掛けかばんのベルトを間に挟んだ状態で両側から噛み合い可能となっている噛合部材を有していることを特徴とする請求項１５ないし１７のいずれか１項に記載の衣服掛止具。
【発明の詳細な説明】
【技術分野】
【０００１】
本発明は、背広の上着、ジャケット、ブルゾン等の衣服の一部と身体又は装身具とを連結することにより、上記衣服の脱いだ時においても手を使わずして衣服を肩や装身具に掛止することができ、衣服を容易に持ち運びすることができるという衣服掛止具に関するものである。
【０００２】
さらには、衣服と身体又は装身具を連結した状態においてもファッション性や機能性を損なうことなく着ることができ、また当該衣服掛止具の着脱は容易に行なうことができるという衣服掛止具に関するものである。
【背景技術】
【０００３】
様々なビジネスシーンや冠婚葬祭においては、夏季であったとしても背広の上着の着衣を強いられる場合が多い。かかる場合に冷房設備が無い屋外を行動する時や、電車、特に混雑した電車内においては、上着を着ている事は耐えがたく、上着を脱いで肩や腕に掛けて行動することが多くなる。このような状況下、カバンを他方の手に持っている場合には、両手が完全にふさがり、全く手が使えず不自由な行動を強いられてしまう。
【０００４】
また、冬季においても同様に、屋外で着ていたジャケット、ブルゾン等を屋内や電車等の暖房設備が整った条件下においては、体温調整のために脱ぐ場合があり、同様に不自由な行動を強いられてしまう場合があった。
【０００５】
そこで、カバンを片手に持った状態であっても、両手をふさぐこと無く、脱いだ衣服を保持することができる、いわゆる携帯用ハンガーなるものが開発され知られている（例えば特許文献１または２参照）。
【特許文献１】特開２０００−８３７９３号公報（公開日：平成１２年３月２８日）
【特許文献２】特開２０００−２３７０２８号公報（公開日:平成１２年９月５日）
【発明の開示】
【発明が解決しようとする課題】
【０００６】
図１１に上記特許文献１に開示された携帯用ハンガー２００の概要を示す。該携帯用ハンガー２００は、図１１に記載されたごとく、衣服Ｆが掛けられ拡縮可能な掛け棒２１０と、掛け棒２１０の両端部に架設され掛け棒２１０を懸吊する索状の懸吊索２２０とを備え、掛け棒２１０の一端に懸吊索２１０が引き通されて支持される貫通孔２２２を有した支持体２２１を設け、掛け棒２１０の他端に懸吊索２２０の両端部側が止着される止着体２２４を設け、これにより懸吊索２２０が掛け棒２１０の両端部に二条になって架設されるようにし、この二条に架設された懸吊索２２０のうち掛け棒２１０側を掛け棒２１０の両端部に架設され衣服Ｆを押える索状の押え索部２４０として構成し、懸吊索２２０を引っ掛けて吊した際、衣服Ｆの自重によって懸吊索２２０を相対的に引っ張って、押え索部２４０を常時緊張させ、衣服Ｆの保持を確実にするというものである。懸吊索２２０はカバンＫの把手Ｋ0に引っ掛けることによって、カバンＫと衣服Ｆが片腕で保持することができ、両腕をふさぐことがないというものである。
【０００７】
他方、図１２に上記特許文献２に開示された携帯用ハンガー３００の概要を示す。該携帯用ハンガー３００は、図１２に記載されたごとく、第１及び第２の棒体３０１及び３０２を、夫々一端を連結して略平行に設けた背広上着を挟持する挟持部と、この第２の棒体３０２の中間位置に対応し且つこの第１の棒体３０１に設けたこの背広上着の襟吊りを引っ掛ける引掛部３０３と、この第１の棒体３０１に設けた取付け部３０４とより成るものである。上記挟持部に背広上着等をたたんで引っ掛け、取付け部３０４をビジネスバック３１０の把手３１１に引っ掛けることによって、ビジネスバック３１０と背広上着が同一の腕で保持することができ、両腕をふさぐことがないというものである。
【０００８】
しかしながら、上記携帯型ハンガー２００及び３００はいずれも、衣服Ｆ（背広上着）を一旦脱いだ後、半分に折りたたみ衣服Ｆ（背広上着）を掛け棒２１０（第２棒体３０２）にかけて、さらにカバンＫ（ビジネスバック）の把手Ｋ0（把手３１１）に引っ掛けるという動作を必要とし、逆に衣服Ｆ（背広上着）を着るときは、カバンＫの把手Ｋ0（把手３１１）から携帯用ハンガー２００（３００）を取り外し、衣服Ｆ（背広上着）を掛け棒２１０（第２棒体３０２）から外し、衣服Ｆ（背広上着）を広げて着るという動作をしなければならず、歩行中や狭い混雑した電車の中等においては、上記一連の動作を簡便かつ迅速に行なうことは困難であった。
【０００９】
本発明は、上記の問題点に鑑みてなされたものであり、その目的は、上記衣服の脱いだ時においても手を使わずして衣服を肩や装身具に掛止することができる衣服掛止具であって、歩行中や、混雑した電車の中等の狭い場所においても衣服の掛止又は着衣の動作が迅速かつ簡便に行なうことができる衣服掛止具を提供することにある。さらに衣服と身体又は装身具を連結した状態においてもファッション性や機能性を損なうことなく衣服を着ることができる衣服掛止具を提供することにある。
【課題を解決するための手段】
【００１０】
本発明者は、上記課題を解決するために鋭意検討を行なった結果、本発明を完成させるに至った。
【００１１】
すなわち本発明にかかる衣服掛止具は、上記課題を解決するために、身体又は装身具に衣服を掛止するために用いられる器具であって、身体又は装身具に固定可能な第１固定具と、掛止される衣服に固定可能な第２固定具と、前記第１固定具と第２固定具とを連結する連結部材とを含むことを特徴としている。
【００１２】
上記構成によれば、背広の上着等の衣服と、身体又はカバン等の装身具とが上記連結部材を介して連結することができる。よって衣服を脱いだ状態であっても、手や腕を用いずに衣服を身体又は装身具に掛止することができる。また上記携帯用ハンガーのように衣服を脱いだ後、衣服をたたみ、ハンガーにかけなおすという一連の動作を必要としないこと、及び身体や装身具と衣服を連結した状態であっても衣服を着ることから、歩行中や狭い電車の中であっても、脱いだ衣服を容易に身体や装身具に掛止することができる。さらに本発明にかかる衣服掛止具の使用中に衣服を着た場合であっても、当該衣服掛止具が邪魔になることがなく、機能面を損なうことはない。また衣服によって当該衣服掛止具の大部分が隠れるためにファッション性を損なうことがない。
【００１３】
また本発明にかかる衣服掛止具は、上記第１固定具及び／または第２固定具が、環状部材であってもよい。
【００１４】
上記構成のうち第１固定具が環状部材となっている場合において、例えばズボンのベルト通し部の内周に当該環状部材を通すことによって、第１固定具を身体又は装身具に固定することができる。一方、第２固定具が環状部材となっていることによって、例えば背広上着裏面に存在する襟吊りの内周に当該環状部材を通すことによって第２固定具を衣服に固定することができる。
【００１５】
また本発明かかる衣服掛止具は、上記環状部材の一部が開閉可能に可動する構成であってもよい。
【００１６】
上記構成によれば、身体又は装身具と第１固定具の着脱が環状部材の開閉によって容易に行なうことができるという効果を奏する。また同様に衣服と第２固定具の着脱が環状部材の開閉によって容易に行なうことができる。
【００１７】
また本発明にかかる衣服掛止具は、上記第１固定具及び／または第２固定具が、支点を中心に離着可能に可動する少なくとも２つの部材で構成されており、前記少なくとも２つの部材の間に身体又は装身具、あるいは掛止される衣服を挟持することによって、身体又は装身具と第１固定具、及び／または掛止される衣服と第２固定具とを連結するという構成であってもよい。
【００１８】
第１固定具が上記構成となっている場合は、例えばベルトの一部を上記部材で挟持することによって第１固定具を身体又は装身具に固定することができる。一方、第２固定具が上記構成となっている場合は、例えば背広上着裏面に存在する襟吊りを上記部材で挟持することによって第２固定具を衣服に固定することができる。また第１固定具及び／または第２固定具の着脱も容易であるという効果を奏する。
【００１９】
また本発明にかかる衣服掛止具は、上記連結部材が、長さ調節可能である構成であってもよい。
【００２０】
上記構成によれば、本発明にかかる衣服掛止具の使用者の体型、使用態様等に応じて連結部材の長さを調節することができ、より高い汎用性を確保することができるという効果を奏する。
【００２１】
また本発明にかかる衣服掛止具は、上記連結部材が脱着可能な脱着部材を備えている構成であってもよい。
【００２２】
上記構成によれば、身体または装身具と脱いだ衣服との連結を完全に切り離す際に、第１固定具または第２固定具を取り外す必要がなく、素早く衣服の着脱を行なうことができるという効果を奏する。また衣服を着た状態であっても本発明にかかる衣服掛止具の着脱を容易に行なうことができる。
【００２３】
また本発明にかかる衣服掛止具は、上記連結部材を格納可能な筐体が備えられており、前記筐体が第１固定具又は第２固定具と一体的に成型されている構成であってもよい。
【００２４】
上記構成によれば、本発明にかかる衣服掛止具を使用しないときには連結部材を上記筐体内に格納することができ、当該連結部材が使用者の行動の妨げになったり、ファッション性を損なったりすることを防止できる。また筐体から出ている連結部材の長さを調整することによって、上述と同様、衣服掛止具の使用者の体型、使用態様等に応じて連結部材の長さを調節することができ、より高い汎用性を確保することができるという効果を奏する。さらには衣服掛止具の収納時および携帯時においてコンパクトになるという効果を奏する。
【００２５】
また本発明にかかる衣服掛止具は、上記連結部材の長手方向の距離が３０ｃｍ以上であルことが好ましい。上記構成によれば、本発明にかかる衣服掛止具を装着した状態であっても、衣服の着衣あるいは脱衣を容易に行なうことができる。また衣服を着たままの状態で本発明にかかる衣服掛止具の脱着が容易に行なえるという効果を奏する。
【００２６】
また本発明にかかる衣服掛止具は、上記連結部材の幅が２ｃｍ以上６ｃｍ以下であることが好ましい。上記連結部材の幅が２ｃｍ未満であると、連結部材の剛性を確保することが困難となり、金属等の高剛性素材を用いなければ連結部材が衣服の重量に耐えることができないという事態が生ずる場合がある。またある程度の剛性がないと、本衣服掛止具の脱着が行ない難いという不都合も生じる。さらには重量物である衣服を掛止する際に連結部材が接する身体に食い込んでしまうため、長時間の衣服の掛止が困難となる場合がある。
【００２７】
一方、上記連結部材の幅が６ｃｍを超えると、本発明にかかる衣服掛止具のサイズが大きくなり、装着時に使用者の邪魔になったり、ファッション性を損なったりするという不都合が生ずる場合がある。また非装着時の衣服掛止具の収納・携帯にも支障をきたす場合がある。したがって本発明にかかる衣服掛止具は、上記連結部材の幅が２ｃｍ以上６ｃｍ以下であることがより好ましいといえる。
【００２８】
また本発明にかかる衣服掛止具は、脱衣した衣服を掛止する際に、上記第１固定具が、身体の前面において身体または装身具と固定され、かつ上記第２固定具が、身体の後面において掛止される衣服と固定されることを特徴とする物であってもよい。上記構成とすることで、掛止される衣服が身体の後面（背中側）に掛止されるため、掛止された衣服が使用者の行動の妨げになりにくい。
【００２９】
特に、本発明にかかる衣服掛止具は、脱衣した衣服を掛止する際に、上記連結部材の一部が、肩部と接するように装着されることが好ましい。
【００３０】
上記構成とすることで、肩部（肩上部）を支点として衣服が身体または装身具と掛止されるため、無理な姿勢をとることなく衣服を容易に身体等に掛止することができると共に、重量バランスが良いため掛止した衣服がズレ落ちたりすることが少ないという効果を奏する。
【００３１】
また本発明にかかる衣服掛止具は、上記掛止される衣服が、上着であることが好ましい。本発明は室温、状況等に応じて脱着する機会の多い上着（上衣）に特に有効である。
【００３２】
また本発明にかかる衣服掛止具は、上記身体が、腰部であることが好ましい。第１固定具が使用者の腰部に固定されることによって、使用者の邪魔になることなく、安定的に衣服を掛止することが可能となるという効果を奏する。
【００３３】
また本発明にかかる衣服掛止具は、上記装身具が、カバン（肩掛けカバン・ショルダーバック）であることが好ましい。第１固定具をカバン、例えば肩掛けヒモに固定することによって、カバンに衣服が掛止される。よってカバンを保持すると同時に脱衣した衣服を保持することができ、両手をふさぐことなく衣服を保持することができるという効果を奏する。
【００３４】
また、本発明の衣服掛止具では、上記第１固定具は、ベルト状の部材を身体又は装身具を内にした状態で折り返し、ベルト状の部材の端部と該端部と対向する部分とを固定部材にて固定させることで、身体又は装身具に固定されるようになっており、上記第２固定具は、平板をＵ字形状に折曲してなる掛止部材よりなることが好ましい。
【００３５】
ここで、本発明の衣服掛止具は、第１固定具を身体又は装身具に固定し、第２固定具にて衣服を掛止するためのものである。そして、脱いだ後の衣服を手に持ったり、脇に挟んだりすることなく、支えることができるものである。
【００３６】
上記構成によれば、第１固定具が、ベルト状の部材を身体又は装身具を内にした状態で固定可能な第１固定具が折り返した状態でベルト状の部材の端部と該端部と対向する部分とを固定部材にて固定可能となっている。そのため、折り返した際にできる隙間に身体または装身具を固定することができる。
【００３７】
また、衣服を固定する（掛止する）第２固定具は、平板をＵ字形状に折曲してなる掛止部材よりなっている。そのため、衣服をＵ字形状の内側に差し込むことができる。第２固定具は、Ｕ字形状となっているため、衣服を滑らかに支えることができ、衣服へのダメージを少なくすることができる。
【００３８】
また、本発明の衣服掛止具では、平板をＵ字形状に折曲してなる上記掛止部材は、連結部材と接続されていない方の端部側が、外側へせり上がっていることが好ましい。
【００３９】
上記構成によれば、平板をＵ字形状に折曲してなる前記掛止部材は、連結部材と接続されていない方の端部側が、外側へせり上がっている。これにより、衣服を収める部分（入り口部分；取り付け口）が、より大きく開放される。従って、衣服を傷つけることなく、第１固定部材に差し込むことができる。
【００４０】
また、本発明の衣服掛止具では、上記第１固定具における上記固定部材は、マジックテープ又は咬合部材であることが好ましい。
【００４１】
また、本発明の衣服掛止具では、当該衣服掛止は、上記第２固定具を中心に巻き付け可能になっており、巻き付けた状態を保持して上記身体又は装身具に固定し得るようになっていることが好ましい。
【００４２】
上記構成によれば、第２固定具を中心に巻き付け可能になっており、巻き付けた状態を保持して上記身体又は装身具に固定しうるようになっている。
【００４３】
従って、衣服掛止具を未使用状態では、上記身体又は装身具に固定された状態で、巻き付けた状態を保持することができる。それゆえ、第２固定具を中心に巻き付けて、巻き付けた状態を保持する前に、身体又は装身具に固定することによって、未使用状態でも、衣服掛止具をかばんなどにしまいこんだりする必要を省くことができる。さらに、身体又は装身具に固定しておくことができるため、使用／未使用の切り替えを簡便に行うことができる。
【００４４】
また、本発明の衣服掛止具では、上記連結部材は、伸縮自在な帯状部材からなると共に、連結部材の長さを調節する長さ調整部が設けられていることが好ましい。
【００４５】
また、本発明の衣服掛止具では、上記長さ調整部は、上記連結部材を巻き取って収容する収容部材と、該連結部材を巻き取る巻取状態と連結部材の長さを固定する固定状態とを切り替える切替部材とを有している
上記構成によれば、不要な連結部材を収容部材に収めることができるため、省スペース化を図ることができると共に、見栄えを良くすることができる。また、切替部材により巻取状態と固定状態とを自在に切り替えることができるため、連結部材の長さを容易に変えることができる。
【００４６】
また、本発明の衣服掛止具では、肩掛けかばん用の衣服掛止具であって、連結部材は、伸縮自在な帯状部材からなると共に、該帯状部材を２つの部分に切り離し可能な連結部材を有しており、上記第１の固定具は、肩掛けかばんのベルトを間に挟んだ状態で両側から噛み合い可能となっている噛合部材を有していることが好ましい。
【００４７】
上記構成によれば、連結部材は切り離し可能な連結部材を有しているため、衣服掛止具への衣服の掛止を容易に行うことができる。また、噛合部材にて衣服掛止具をベルトに噛み合わせることができるため、より強固にベルトと衣服掛止具とを固定することができる。
【発明の効果】
【００４８】
本発明にかかる衣服掛止具によれば、背広の上着等の衣服と、身体又はカバン等の装身具とが上記連結部材を介して連結することによって衣服を脱いだ状態であっても、手や腕を用いずに衣服を身体又は装身具に掛止することができる。また上記携帯用ハンガーのように衣服を脱いだ後、衣服をたたみ、ハンガーにかけなおすという一連の動作を必要としないこと、及び身体や装身具と、衣服を連結した状態であっても衣服を着ることができることから、歩行中や狭い電車の中であっても、脱いだ衣服を容易に身体や装身具に掛止することができるといえる。
【００４９】
さらに本発明にかかる衣服掛止具の使用中に衣服を着た場合であっても、当該衣服掛止具が邪魔になることが少なく機能面を損なうことはない。また衣服によって当該衣服掛止具の大部分が隠れるためにファッション性を損なうことがない。
【発明を実施するための最良の形態】
【００５０】
本発明の実施の形態について説明すれば、以下のとおりである。なお、本発明はこれに限定されるものではない。
【００５１】
本発明にかかる衣服掛止具は、身体又は装身具に衣服を掛止するために用いられる器具である。ここで「掛止する」とは、衣服を身体又は装身具に引っ掛けて止めることを意味する。また衣服が掛止される「身体」とは、本発明にかかる衣服掛止具を使用する使用者（以下、使用者という。）の体の一部であれば部位は特に限定されるものではなく、腕部（例えば手首・上腕部・肘部・肩部）・胸部・腰部・脚部（例えば大腿部・膝部・足首）等であってもよい。また衣服が掛止される「装身具」とは、使用者の体に装着されるものであれば特に限定されるものではなく、ズボン（スラックス）・スカート・カッターシャツ・ブラウス・ジャケット・ブルゾン・アンダーシャツ・アンダーウエア等の衣服全般、及び手提げカバン・肩掛けカバン（ショルダーバック）・肘掛バック・リュックサック等のカバン全般、並びに腰巻ベルト等を意味する。
【００５２】
一方、掛止される衣服とは、衣服であれば特に限定されるものではないが、使用者が室温・状況等に応じて脱いだり着たりする機会が多い、背広上着・ジャケット・ブルゾン・ジャンバー・コート・カッターシャツ・シャツ・セーター・カーディガン等の上着（上衣）が特に好ましいといえる。
【００５３】
また本発明にかかる衣服掛止具は、身体又は装身具に固定可能な第１固定具と、掛止される衣服に固定可能な第２固定具と、前記第１固定具と第２固定具とを連結する連結部材とを含むことを特徴としている。本発明にかかる衣服掛止具の一態様にかかる衣服掛止具１０を図１に示し、第１固定具、第２固定具、連結部材についてより具体的に説明する。
〔実施の形態１〕
図１に示したごとく、本実施の形態にかかる衣服掛止具１０は、第１固定具１、第２固定具２、および連結部材３より構成されている。
【００５４】
（第１固定具及び第２固定具）
本実施の形態にかかる衣服掛止具１０において、第１固定具１は、身体又は装身具に固定可能となるように、フック１ａ、及びフック１ｂにより構成される環状部材となっている。本発明において「環状部材」とは、環状の構造を有する部材であれば特に限定されるものではない。第１固定具１は、Ｊ字型のフック１ａとフック１ｂが互いに２点（接点Ａ、接点Ｂ）で接することにより略楕円形の環状を形成している。かかる環状部分に例えば、腰巻ベルトを通す、カバンの肩掛けヒモに通す、あるいはズボンのベルト通し部に通すことで、第１固定具１を身体又は装身具に固定することができる。なお、本発明にかかる衣服掛止具１０の装着状態・使用方法については後述する。
【００５５】
さらにフック１ａとフック１ｂよりなる第１固定具１は、接点Ｂを支点としてフック１ａとフック１ｂが回動し、接点Ａが離着可能となっている。換言すれば、環状部材の一部が開閉可能に可動することができる構成となっている。かかる構成とすることで、身体又は装身具と第１固定具の着脱が環状部材の開閉によって容易に行なうことができるという効果を奏する。なお、環状部材の開閉可能な箇所は１箇所に限定されるものではなく、２つ以上の複数であっても良い。
【００５６】
一方、本実施の形態にかかる衣服掛止具１０において、第２固定具２は、連結部材３の一部を利用した帯状部材で構成されており、掛止される衣服に固定可能となるように、結合可能な一対の面状ファスナー４ａ、４ｂそれぞれが、帯状部材の任意の２点に適当な間隔を空けた状態で備えられている。図１（ａ）には第２固定具２（環状部材）を構成する面状ファスナー４ａ及び４ｂが結合していない状態を示し、同図（ｂ）には面状ファスナー４ａ及び４ｂが結合した状態を示している。図１（ｂ）に示したごとく、面状ファスナー４ａ、４ｂが結合することによって帯状部材によるループ（環状）Ｃが形成される。かかるループＣを例えば背広上着裏面に存在する襟吊りに通すことによって、第２固定具２は掛止される衣服に固定することができる。
【００５７】
なお、前記帯状部材に備えられる面状ファスナーの個数は、本実施の形態のごとく１対、すなわち２個に限定されるものではなく、３個以上であっても良い。例えば、連結部材３上であって、面状ファスナー４ａの位置に対して第１固定具１に近い位置に、面状ファスナー４ｂに結合可能な面状ファスナーを設置する構成であってもよい。当該面状ファスナーと面状ファスナー４ｂとを結合させることにより、第２固定具２によって形成されるループの径が上記ループＣに比して拡大する。これにより掛止される衣服上の第２固定具２が固定される部位の形状・位置等に応じたループの大きさを選択することができる。さらには、本発明にかかる衣服掛止具の連結部材３の長手方向の距離（以下、「長さ」という。）が短くなる。したがって、面状ファスナーの設置個数を一対より多くすることで、連結部材３の長さ、すなわち衣服掛止具自体の長さを調節することができるようになる。なお連結部材の長さ調節については、後述する。
【００５８】
なお本発明にかかる衣服掛止具における第１固定具及び第２固定具の形状・構成は、本実施の形態（図１）に示したものに限定されるものではなく、図１における第１固定具１と同様の構成が第２固定具２に使用されていても良いし、逆に図１における第２固定具２と同様の構成が第１固定具１に使用されていても良いし、さらには図１における第１固定具１と第２固定具２が入れ替わった構成であってもよい。すなわち、身体又は装身具、あるいは掛止される衣服に固定可能な形状・構成を有するものであれば特に限定されるものではない。したがって、使用態様・目的等に応じて従来公知の固定具を適宜選択の上、採用すれば足りる。第１固定具及び第２固定具として利用可能な別の構成としては、例えば、図２に挙げたものがある。
【００５９】
図２（ａ）から（ｃ）は、本発明にかかる衣服掛止具の一部分を示す図であって、第１固定具（あるいは第２固定具）を示すものである。同図（ａ）に示す第１固定具（あるいは第２固定具）は、主に帯状部材７、脱着部材６、連結部材３で構成されている。帯状部材７上には、結合可能な一対のボタン５ａ、５ｂそれぞれが、帯状部材７の任意の２点に適当な間隔を空けた状態で備えられている。すなわち図１に記載した第２固定具２における面状ファスナー４ａ、4ｂがそれぞれボタン５ａ、５ｂに置き換わった構成である。よって、ボタン５ａと５ｂが結合することで帯状部材７による環状が形成され、かかる環状を例えば背広上着裏面に存在する襟吊りに通すことで第２固定具２を掛止される衣服に固定することができる。あるいは当該環状をズボンのベルト通しに通すことによって第１固定具１を、衣服に固定することができる。なお、帯状部材７に設置するボタンの個数についても、面状ファスナーと同様に、１対、すなわち２個に限定されるものではなく、３個以上であっても良い。３個以上とすることによって、面状ファスナーの項において説明したものと同様の効果が得られる。
【００６０】
なお、図２（ａ）に示した第１固定具（あるいは第２固定具）には、脱着部材６が備えられているが、これは身体または装身具と脱いだ衣服との連結を完全に切り離す際に、第１固定具または第２固定具を取り外す必要がなく、素早く衣服の着脱を行なうことができるという効果を得るために備えられている。また衣服を着た状態であっても本発明にかかる衣服掛止具の着脱を容易に行なうことができるという効果を奏する。ただし、本発明にかかる衣服掛止具は、脱着部材６を有する構成であっても、無い構成であってもよい。脱着部材については後述する。
【００６１】
また図２（ｂ）には、上記図２（ａ）示す第１固定具（あるいは第２固定具）と同様の構成（帯状部材７、脱着部材６、連結部材３、ボタン５ａ、５ｂ）を有する、別形状のものを示している。身体・装身具あるいは掛止される衣服への固定方法等は、上述と同様である。ただし、一定の形状（図２（ｂ）中の逆Ｃ字形上）を維持することができる程度の剛性を持った素材（例えば天然皮革・合成皮革等）で帯状部材７が構成されている点において図２（ａ）のそれと異なっている。上記ある程度の剛性を有する素材によって帯状部材７が構成されている場合は、第１固定具（あるいは第２固定具）の脱着がし易い、耐久性に優れているという点等において優れている。ただしかかる形状の固定具を第２固定具として使用し、背広上着の襟吊りに固定する場合は、その剛性がゆえに背広上着を着た際に違和感を覚えることがある。したがって、かかる形状の固定具は、主に第１固定具として好ましい形状であるといえる。一方、図２（ａ）の形状を有する固定具は、第２固定具として使用し、背広上着の襟吊りに固定する場合であっても、特に違和感無く背広上着を着ることができるために、第１固定具、第２固定具を問わず利用可能な形状であるといえる。
【００６２】
また図２（ｃ）には、第１固定具（あるいは第２固定具）に利用可能な別の構成として、軸１０（支点）を中心として離着可能に可動する第１部材８、および第２部材９で構成された固定具を示した。前記第１部材及び第２部材は軸１０を介して接続されており、第１部材８、第２部材９の間に身体又は装身具、あるいは掛止される衣服を挟持することによって、身体又は装身具と第１固定具、及び／または掛止される衣服と第２固定具とを連結するという構成である。かかる構成の場合は、身体又は装身具、あるいは掛止される衣服を挟持することによって固定するため、衣服の掛止に絶え得るだけの挟持力を第１固定具８および第２固定具９が有していなければならない。かかる挟持力を得るためには、適当なバネ定数を持ったバネ・ゴム等の弾性部材を利用することによって達成することができる。なお適用するバネ定数は、掛止する衣服等の重量によって異なるために特に限定されるものではないが、挟持する際にかかる力に耐え得るバネ定数を適宜検討の上、採用すればよい。ただし、人の通常の手の力によって第１部材８及び第２部材の離着が可能な程度のバネ定数を上限とすることが好ましい。人の通常の手の力で第１部材８及び第２部材の離着ができない程度となると、本発明にかかる衣服掛止具の着脱が容易にできなくなるからである。
【００６３】
なお、本実施の形態において第１固定具及び第２固定具は、それぞれ別の形状・構成を有するものを採用しているが、同一形状・構成を有するものを用いても良い。使用態様に応じた好ましい構成を適宜選択の上、組み合わせれば良い。
【００６４】
また第１固定具及び第２固定具は連結部材と別体と構成されていても良いし、連結部材の一部を利用した構成であってもよい。前者の例としては、図１における第１固定具１のごとく構成が挙げられる。すなわち連結部材３とは別体の第１固定具１を設け、接続リング１１を介して連結部材３と接続されている。なお第１固定具１と接続リング１１は、軸１２及び軸受け１３で回動可能に接続されている。かかる接続を行なうことで、連結部材のねじれを防止することができるという効果が得られる。よってかかる構成は、本発明においてより好ましいといえる。
【００６５】
一方、第１固定具及び第２固定具が連結部材の一部を利用した構成の例としては、図１における第２固定具２が挙げられる。当該第２固定具２は、記述の通り、連結部材３に面状ファスナー４ａおよび４ｂを設けて構成されている。かかる構成とすることで、部品点数の減少を行なうことができ、製造コストの低下、製造工程の簡略化等のメリットが得られる。
【００６６】
なお、第１固定具及び第２固定具の素材としては、特に限定されるものではなく、金属・プラスチック、ナイロン等の合成樹脂・天然皮革・合成皮革等を適宜選択の上、採用すればよい。
【００６７】
（連結部材）
本発明にかかる衣服掛止具における連結部材は、第１固定具と第２固定具との間に存在し、第１固定具と第２固定具とを連結する部材のことである。図１に示すごとく本実施の形態にかかる衣服掛止具１０の連結部材３は、帯状の部材で構成されている。連結部材の他の構成例としては、ワイヤー・ケーブル等のライン状のもの、リングが連結された鎖状のもの等が利用可能である。ただし、連結部材の幅は、２ｃｍ以上６ｃｍ以下が好ましく、２ｃｍ以上４ｃｍ以下がさらに好ましく、２ｃｍ以上３．７ｃｍ以下がさらに好ましく、２ｃｍ以上３．２ｃｍ以下が最も好ましい。上記好ましい範囲未満であると、連結部材の剛性を確保することが困難となり、金属等の高剛性素材を用いなければ連結部材が衣服の重量に耐えることができないという事態が生ずる場合がある。またある程度の剛性がないと、本衣服掛止具の脱着が行ない難いという不都合も生じる場合がある。さらには重量物である衣服を掛止する際に連結部材が接する身体に食い込んでしまうため、長時間の衣服の掛止が困難となる場合がある。また、上記連結部材の幅が好ましい範囲を超えると、本発明にかかる衣服掛止具のサイズが大きくなり、装着時に使用者の邪魔になったり、ファッション性を損なったりするという不都合が生ずる場合がある。また非装着時の衣服掛止具の収納・携帯にも支障をきたす場合がある。
【００６８】
なお連結部材の幅は一定である必要はなく、例えば連結部材の一部であって、身体（例えば肩）と接する箇所が、連結部材の他の部分よりも太い構成であってもよい。また、肩掛けカバンの肩掛けヒモに備えられた公知の肩パットのごとき、連結部材の幅よりも太い部材が連結部材の一部を覆うように備えられた構成であってもよい。かかる構成とすることにより、掛止される衣服の重量が分散するため、連結部材が身体に食い込むことを防止することができ、長時間の衣服の掛止が可能となる。
【００６９】
また、本発明にかかる衣服掛止具の連結部材の長手方向の距離、すなわち連結部材の長さ（連結部材が長さ調節可能となっている場合においては、当該衣服掛止具の使用時の連結部材の長さ）は、３０ｃｍ以上１２０ｃｍ以下が好ましく、５０ｃｍ以上１００ｃｍ以下がさらに好ましく、７０ｃｍ以上９０ｃｍ以下が最も好ましい。上記好ましい範囲未満であると、第１固定具及び第２固定具の間隔が短くなり両固定具の固定場所が限定されてしまい、使い勝手が悪くなる場合がある。また本発明にかかる衣服掛止具を装着した状態で衣服の着衣あるいは脱衣を容易に行なうことが困難となること、及び衣服を着たままの状態で本発明にかかる衣服掛止具の脱着が困難となるという不都合が発生する場合がある。また上記好ましい範囲を超えると、不使用時の携帯や、収納に不都合が生じる場合がある。
【００７０】
なお、本発明にかかる衣服掛止具の連結部材の素材は特に限定されるものではなく、天然皮革、合成皮革、金属、ナイロン、プラスチック等を適宜選択の上用いればよい。ただし、ゴム・バネのごとく延伸する（伸縮する）素材は、掛止される衣服が安定的に保持されにくい場合があるため、延伸しない素材（非延伸素材）であることが好ましいといえる。「非延伸素材」とは、素材を１ｋｇの力で引っ張る前後の長さの変化率（延伸率）が１％以下、好ましく０．５％以下、最も好ましくは０．２５％以下の物性を有する素材のことをいう。
【００７１】
また連結部材は、単一の素材からなるものに限定されるものではなく、複数の素材により構成されていてもよい。例えば、連結部材の一部または全部であって、身体と接する面に、ラバー等の摩擦係数が連結部材の素材のそれよりも高い素材が備わった構成であってもよい。連結部材そのものに比して摩擦係数が高くなるために、掛止した衣服が身体からズレ落ちることを防止することができる。
【００７２】
（本発明にかかる衣服掛止具の装着方法）
図３に本発明にかかる衣服掛止具、特に本実施の形態にかかる衣服掛止具１０の装着方法の一例を示す。図３（ａ）は、衣服掛止具１０を装着し、衣服を掛止した状態の使用者２０を前面から見た図である。同図によれば、第１固定具１は使用者２０のズボンの前面左側のベルト通し２１に固定されており、連結部材３の一部が右肩上部に接するように装着されている。すなわち、体正面に対して対角に連結部材３が伸びるように装着されている。
【００７３】
図３（ａ）の状態である使用者２０を背中側（後面）から見た図を図４に示す。同図によれば、掛止される衣服２３の首筋裏面付近に存在する襟吊り２２と、第２固定具２とが固定されることによって、衣服２３が使用者の右肩部に掛止されている。同図からも明らかなように衣服２３掛止されている様子は、第三者から見て特に不快感を与えるものではなく、またファッション性を損なうものではない。
【００７４】
また衣服２３を掛止する際に、上記第１固定具１が、身体の前面においてベルト通し２１と固定され、かつ上記第２固定具２が、身体の後面（背中側）において衣服２３と固定されている。よって、掛止される衣服２３が身体の後面（背中側）に掛止されるため、掛止された衣服２３が使用者２０の行動の妨げになりにくい。
【００７５】
特に、図３及び図４に示したように、脱衣した衣服２３を掛止する際に、連結部材３の一部が、使用者２０の肩部と接するように装着されている。よって肩部（肩上部）を支点として衣服２３が掛止されるため、使用者が無理な姿勢をとることなく衣服２３を容易に衣服２３を掛止することができると共に、重量バランスが良いため掛止した衣服２３がズレ落ちたりすることが少ないといえる。
【００７６】
次に図３（ｂ）に衣服掛止具１０を装着したまま、衣服２３を着用した状態の使用者２０を前面から見た図を示す。同図から明らかなように、衣服掛止具１０は衣服２３によってほぼ完全に隠れてしまうために、第三者が見ても衣服掛止具１０を装着していることはわからない。また、連結部材３が背中を経由するように衣服２３を着用すれば、前ボタンをはずした状態においても当該衣服掛止具１０は、第三者から完全に見えない。したがって、衣服掛止具１０を装着したままであっても、ファッション性を損なうことが無いし、公の場においても無礼になることもない。
【００７７】
なお図３、４では第１固定具１を左側前面のベルト通し２１に固定した装着方法を示しているが、右側のベルト通し、背中側のベルト通し等に第１固定具１を固定しても良い。
また、連結部材３が、体の線に平行となるように装着しても良い。すなわち、左側前面のベルト通し２１に第１固定具１を固定し、連結部材３が使用者２０の左肩上部と接するように装着しても良し、右側前面のベルト通し２１に第１固定具１を固定し、連結部材３が使用者２０の右肩上部と接するように装着しても良い。
【００７８】
また第１固定具の形状等によっては、ズボンの腰部を挟持して固定しても良いし、第１固定具の環状部材に腕を通すことによって身体に直接固定しても良い。また第２固定具の固定場所についても襟吊り２２に限定されるものではなく、衣服の裏生地を挟持するようにして第２固定具を固定しても良い。
【００７９】
（長さ調節機構）
本発明にかかる衣服掛止具の連結部材は、長さ調節可能な構成となっていても良い。図５に長さ調節バックル３１を備えた本実施の形態の衣服掛止具１０ａを示す。ここで長さ調節バックル３１は、従来公知の腰巻ベルトの長さ調節機能を有するバックルをそのまま流用している。よって長さ調節機構の詳細な説明は省略するが、簡単には以下のとおりである。長さ調節バックル３１によって挟持されている連結部材３を一旦外し、使用者の体型・使用態様に応じて連結部材３を適当な長さにカットし、再び連結部材３を長さ調節バックル３１によって挟持すればよい。このようにすることで、図５（ａ）の長さ調節前の状態から図５（ｂ）の長さ調節後の状態となる。ただし、かかる連結部材３をカットして長さ調節する構成である場合は、一度短くした後に再び長くすることは不可能である。
【００８０】
上記不都合を回避することが可能な構成としては、図６に示したような長さ調節部材３２を採用した構成とすればよい。かかる長さ調節部材３２は、カバンの肩掛けヒモ、各種ストラップ等に用いられている従来公知の長さ調節部材をそのまま流用することができる。連結部材３の折り返し部３’（図６中の連結部材３の斜線部）の長さを調節することで、第１固定具１と第２固定具２との距離を調整することができる。しかも、連結部材３をカットしないため短縮した後であっても、再び長くすることができる。
【００８１】
図６（ａ）は連結部材３を短くした場合の本発明にかかる衣服掛止具１０ｂの状態を示し、図６（ｂ）は連結部材３を長くした場合の本発明にかかる衣服掛止具１０ｂの状態を示している。同図によれば、折り返し部３’が長くなれば図６（ａ）のごとく連結部材３が短くなり、逆に折り返し部３’が短くなれば図６（ｂ）のごとく連結部材３が長くなる。
【００８２】
なお長さ調節機構については、上記の構成に限られず従来公知の構成を適宜選択の上採用すればよい。また本発明にかかる衣服掛止具に備えられる長さ調節機構は、１つに限られず２つ以上であっても良い。
【００８３】
（脱着部材）
本発明にかかる衣服掛止具の連結部材は、脱着部材を備えている構成であっても良い。かかる脱着部材を備えることによって、身体または装身具と脱いだ衣服との連結を完全に切り離す際に、第１固定具または第２固定具を取り外す必要がなく、素早く衣服の着脱を行なうことができるという効果を奏する。また衣服を着た状態であっても本発明にかかる衣服掛止具の着脱を容易に行なうことができる。
【００８４】
図７（ａ）に脱着部材６、６’を備えた本発明にかかる衣服型止具１０ｃを示す。同図中脱着部材６は、ジョイント６ａおよび６ｂで構成されており、第２固定具２に近接して設けられている。また同図中脱着部材６’は、ジョイント６ｃおよび６ｄで構成されており、第１固定具１に近接して設けられている。図７（ｂ）は、脱着部材６を中心とした衣服掛止具１０ｃの部分図であり、ジョイント６ａ、６ｂが離れた状態を示す図である。また図７（ｃ）は、脱着部材６’を中心とした衣服掛止具１０ｃの部分図であり、ジョイント６ｃ、６ｄが離れた状態を示す図である。ジョイント６ａと６ｂ、及びジョイント６ｃと６ｄは互いにかみ合うことで連結することができる構成となっており、簡単に脱着を行なうことができる。なお脱着部材は上記構成に限定されるものではなく、ボタンを介して脱着を行なう構成であってもよいし、フックを介して脱着を行なう構成であってもよい。その他従来公知の構成を適宜選択の上、採用すればよい。
【００８５】
（連結部材格納用筐体）
本発明にかかる衣服掛止具は、連結部材を格納可能な筐体が備えられており、前記筐体が第１固定具又は第２固定具と一体的に成型されている構成であってもよい。なお筐体と、第１固定具又は第２固定具とが完全に一体である必要はなく、第１固定具又は第２固定具に近接して設けられていても良い。すなわち略一体的に成型されている場合も含む意味である。
【００８６】
上記構成によれば、本発明にかかる衣服掛止具を使用しないときには連結部材を上記筐体内に格納することができ、当該連結部材が使用者の行動の妨げになったり、ファッション性を損なったりすることを防止できる。また筐体から出ている連結部材の長さを調整することによって、上述と同様、衣服掛止具の使用者の体型、使用態様等に応じて連結部材の長さを調節することができ、より高い汎用性を確保することができるという効果を奏する。さらには衣服掛止具の収納時および携帯時においてコンパクトになるという効果を奏する。
【００８７】
図８（ａ）に第１固定具１と一体的に成型された筐体３０を有する本発明にかかる衣服掛止具１０ｄの正面図を示す。図８（ａ）に示すとおり、連結部材３が筐体３０内に格納可能となっている。なお同図に示す筐体３０は、バネ等の弾性部材の反力によって連結部材３が自動的に巻き取られる構成となっており、ストッパー３１を操作することにより、連結部材３の巻取りを開始したり、中止したりすることができる。なお、巻取り機構については、自動に巻き取られる構成に限られず、手動で巻き取る構成としても良い。また巻取り機構でなく、単に連結部材３を折りたたんで格納することができる筐体３０であっても良い。
【００８８】
図８（ｂ）に衣服掛止具１０ｄの裏面図を示す。図８（ｂ）に示すとおり、筐体３０の裏面に第１固定具１が一体的に成型されている。衣服掛止具１０ｄは、図８（ｃ）に示すごとく、第１固定具１の環状の内周に腰巻ベルト３２を通して使用する。このようにして衣服掛止具１０ｄが固定された腰巻ベルト３２を使用者が腰に巻けば、衣服掛止具１０ｄの装着が完了することになる。また、図８（ｃ）は、連結部材３を略巻き取った状態を示しているが、衣服掛止具１０ｄは腰巻ベルトと略一体となってしまうために、不使用時において邪魔になったり、ファッション性を損なったりすることはない。
【００８９】
〔実施の形態２〕
本発明にかかる衣服掛止具であって、第１固定具をカバンの肩掛けヒモ等に固定する態様の概略図を図９に示す。
【００９０】
図９に示す本実施形態にかかる衣服掛止具１００は、主に第１固定具１、第２固定具２、連結部材３、面状ファスナー４、連結部材６(ジョイント６ａ、ジョイント６ｂ)で構成されている。第２固定具２は、衣服２３の襟吊り２２と固定されている。なお第２固定具２の固定機構および連結部材６による連結の機構は、上記実施の形態１の項で説示したものと同様であるために説明は省略する。
【００９１】
本実施の形態にかかる衣服掛止具１００の最大の特徴点は、第１固定具１がカバンの肩掛けヒモを巻き取れる構造となっていることである。換言すれば、使用者が肩掛けカバンを肩掛けヒモを使って保持した場合に、肩掛けヒモが延伸する方向を中心軸として第１固定具１が巻き取れるような構成となっている。
【００９２】
また本実施の形態にかかる衣服掛止具１００の第１固定具１は、カバンの肩掛けヒモと接する面に滑り止め部材１０１が設置されていることが好ましい。第１固定具の位置がずれるのを防止することができ、安定的に衣服２３を掛止することができる。なお、図９において滑り止め部材１０１は、先端が尖った突起構造（歯構造）を有しているが、ゴム等の摩擦係数の高い素材を用いて当該滑り止め部材１０１を構成してもよい。
【００９３】
図１０に本実施の形態にかかる衣服掛止具１００を使用した使用者２０を正面から見た図（図１０（ａ））、および同使用者２０を左側面から見た図（図１０（ｂ））を示す。図１０（ａ）、（ｂ）の通り、第１固定具１がカバンの肩掛けヒモ１０２に固定され、第２固定具２が衣服２３に固定され、さらに第１固定具１と第２固定具２とが連結部材３によって連結されることにより、衣服２３がカバンに掛止されている。しかも衣服２３を掛止する際に手を使う必要がない。したがって、カバンと脱いだ衣服２３を保持する場合であっても、使用者２０の両手をふさぐことはない。
【００９４】
なお本実施の形態にかかる衣服掛止具１００のごとくカバンの肩掛けヒモ１０２に衣服２３を固定して使用する態様である場合には、かかる固定状態のまま衣服２３を使用者２０が着ることはできない。よって、使用者２０が衣服２３を着る際には、第１固定具１又は第２固定具２を外すか、脱着部材６のジョイント６ａとジョイント６ｂの連結を外した上で、衣服２３を着ることとなる。
【００９５】
〔実施の形態３〕
本発明の衣服掛止具の他の実施の形態について、図面を用いて説明する。
【００９６】
本実施の形態の衣服掛止具１５０は、背広上着などの衣服を、肩から吊るすためのものである。なお、ここでいう衣服は、背広上着に限られず、ジャケット・ブルゾン・ジャンバー・コート・カッターシャツ・シャツ・セーター・カーディガンなどでもよい。
【００９７】
この衣服掛止具１５０は、図１３に示すように、帯状（薄い平板状）をしており、その一端がベルト（における利用者の前面側）１８５に取り付けられ、利用者の上半身に沿って、他端が肩口まで延びており、この他端に、背広上着１８０が掛止されるようになっている。なお、ここで、衣服掛止具１５０の一端をベルトに取り付けるとしたが、ベルトに限定されず、上記した「身体」または「装身具」のいずれかに衣服掛止具１５０の一端を取り付けてもよい。
【００９８】
本実施の形態の衣服掛止具１５０は、図１４に示すように、一方の端部に設けられた引掛部（第２固定具；掛止部材）１５１と、他方の端部に設けられた巻付部（第１固定具）１５２と、これら引掛部１５１および巻付部１５２の間に設けられた帯状部（帯状部材）１５３と、上記の巻付部１５２に取り付けられたリング部１５５と、を備えている。そして、帯状部１５３の一方の端部には、長さ調整部１５４が設けられている。なお、リング部１５５および長さ調整部１５４は、必ずしも設けられている必要はない。
【００９９】
引掛部１５１は、図１５に示すように、衣服掛止具１５０に背広上着１８０を固定（掛止）する役割を有している。また、この引掛部１５１には、同図に示すように、略矩形状の貫通孔１５６が設けられており、この貫通孔１５６には、上記の帯状部１５３が通されている。
【０１００】
この引掛部１５１は、背広上着１８０の襟部１８１に引っ掛けることができるような形状となっている。すなわち、引掛部１５１は、略Ｕ字状をしており、この略Ｕ字状の部分に背広上着１８０の襟１８１をスライド（滑りこませる、引っ掛ける）させることができるようになっている。つまり、引掛部１５１は、衣服掛止部１５０の長手方向の一端が開口しており、他端が閉塞している。
【０１０１】
そして、この略Ｕ字状の内側に背広上着１８０の襟を挟み込むことができるようになっている。また、略Ｕ字状の内側に背広上着１８０の襟を挟み込み、引掛部１５１の開口した方を上方に向けて図１３に示すように背広上着１８０を吊るすことによって、背広上着１８０の自重が引掛部１５１の閉塞した方にかかり、背広上着１８０が引掛部１５１に固定される。
【０１０２】
また、引掛部１５１では、図１４に示すように、開口している側の一方の先端部分（帯状部１５３と接続されていない方の端部側）が、外側に向かって滑らからに傾斜している（せり上がっている）。このため、引掛部１５１に背広上着１８０の襟１８１を滑りこませやすく（引っ掛けやすく、スライドさせやすく）なっている。さらに、背広上着１８０の襟１８１を引掛部１５１に引っ掛ける際に、背広上着１８０の襟１８１を傷つけることを防止することができる。
【０１０３】
また、本実施の形態の引掛部１５１は、上記の通り、略Ｕ字状となっている。より具体的には、２枚の平板を対向配置させ、それらの２枚の平板の一辺（閉塞した辺）は湾曲して接続されている。また、２枚の平板のうち一方の平板は、帯状部１５３と接続されており、他方の平板は、その先端部がせり上がっている。また、２枚の平板の距離は、背広上着１８０の襟の厚みと略同一、または、背広上着１８０の襟の厚みよりも少し大きくなっている。ただし、引掛部１５１は、必ずしも２枚の平板である必要はなく、１枚の平板をＵ字形状に折曲してなるものであってもよい。
【０１０４】
そのため、背広上着１８０の襟１８１を両側から挟みこみ、かつ、背広上着１８０の襟１８１の端部が、上記の湾曲した部分に当たるようになる。つまり、背広上着１８０の襟１８１に対して、引掛部１５１の内側が密着するようになる。そのため、背広上着１８０の襟１８１を引掛部１５１にて傷つけることなく、しっかりと固定することができる。
【０１０５】
上記の引掛部１５１は、上記したように、背広上着１８０を衣服掛止具１５０に固定する役割を有している。そのため、ある程度の堅さを持った材質で成ることが好ましい。引掛部１５１は、例えば、アルミ、銅などの金属、プラスチック、ガラスなどから成っていることが好ましい。
【０１０６】
巻付部１５２は、図１６に示すように、ベルト１８５に巻き付けることによって、ベルト１８５に固定されるようになっている。つまり、巻付部１５２は、ベルト状の部材からなっており、ベルト１８５を内にした状態で折り返えすことによりベルト１８５に固定されるようになっている。さらに換言すれば、巻付部１５２は、衣服掛止具１５０をベルト１８５に固定する役割を有している。
【０１０７】
より具体的には、巻付部１５２は、その一端が自身に向かって折り返し可能になっている。なお、図１４では、折り返された後の巻付部１５２が示されている。また、巻付部１５２の他端は、同図に示すように、上記の帯状部１５３と接続されている。
そして、巻付部１５２の一端を折り返すことによって、巻付部１５２には隙間１６１（図１４参照）が形成され、この隙間１６１に、ベルト１８５を通すことができる。
【０１０８】
また、巻付部１５２の一方の面Ｍには、２つのマジックテープ（不図示；登録商標；固定部材）が、互いに離間して設けられており、巻付部１５２を折り返した状態において、これら２つのマジックテープが互いに接触するようになっている。なお、上記２つのマジックテープは、互いに接着される必要があるので、それぞれ雄と雌の関係となっている。
【０１０９】
なお、巻付部１５２は、ベルト１８５に巻き付ける構成として説明したが、これに限られず、例えばいわゆるサスペンダーのように、ズボンに取り付ける構成であってもよし、腰に巻きつけたポシェット、また、肩から掛けたかばんに取り付ける構成であってもよい。この場合には、必ずしもマジックテープは、必要ではなく、クリップなどで挟み込む構成やボタンなどの咬合部材であってもよい。
【０１１０】
帯状部１５３は、薄い帯状（平板状）であり、伸縮自在になっている。帯状部１５３は、伸縮自在となっているため、背広上着１８０を吊り下げた状態（掛止した状態）において、利用者の肩や上半身にかかる負担（負荷）を軽減することができる。しかしながら、帯状部１５３は、必ずしも伸縮自在になっている必要はない。
【０１１１】
また、帯状部１５３は、引掛部１５１と巻付部１５２とを互いに連結させる連結部材としての役割も有している。この帯状部１５３の材質は、ゴムなどの伸縮性を有する材質であれば、特に限定されない。
【０１１２】
また、上記の巻付部１５２は、この帯状部１５３の延伸させたものとしてもよい。つまり、巻付部１５２も伸縮性を有するものとしてもよい。
【０１１３】
長さ調整部１５４は、帯状部１５３の先端に設けられている。具体的には、長さ調整部１５４には、略矩形状の貫通孔（不図示）が設けられており、この貫通孔に帯状部１５３を通している。
【０１１４】
そして、この長さ調整部１５４は、帯状部１５３の長さ、および、衣服掛止部１５０の長さを調整する役割を有している。この長さ調整部１５２は、図１４に示すように、軸部１５９を有しており、この軸部１５９を中心に開閉可能なクリップとなっている。より詳細には、長さ調整部１５４は、２つの部材（挟持部材）からなっており、これらの部材が軸部１５９を中心に回動可能となっている。
【０１１５】
なお、図１４では、閉状態における長さ調整部１５４を示している。この閉状態においては、帯状部１５３の長さが固定されるようになっている。そして、長さ調整部１５４を開状態にすると、長さ調整部１５４には、図示しない隙間ができる。この隙間を通して帯状部１５３を移動（通過）させることによって、帯状部１５３の折り返し部１６０の長さを適宜調整することができる。
【０１１６】
この折り返し部１６０の長さを適宜変えることによって、帯状部１５３の長さ、および、衣服掛止具１５０の長さを調整することができる。
【０１１７】
なお、折り返し部１６０の長さを長くすれば、するほど帯状部１５３の長さは短くなり、折り返し部１６０の長さを短くすればするほど、帯状部１５３の長さは長くなる。このように衣服掛止具１５０の長さを適宜変えることによって、利用者の身長、体格などに合わせて、使用することができる。そして、上記の通り、長さ調整部１５４は、クリップとなっているので、適当な長さにおいて、つまり調整が終了した場合に、長さ調整部１５４を閉状態にして帯状部１５３の長さを固定することができる。
【０１１８】
リング部１５５は、上記の巻付部１５２を折り返した状態において、衣服掛止部１５０における巻付部１５２側の先端に位置するように配されており、このリング部１５５に、鍵やキーホルダーなどを取りつけたりすることができるようになっている。
【０１１９】
以上のように、本実施の形態の衣服掛止具１５０では、一端がベルト１８５に固定することができるようになっており、他端に背広上着１８０を固定することができるようになっている。
【０１２０】
そのため、衣服掛止具１５０の利用者は、脱いだ背広上着１８０を手で持つことなく、肩から吊るすことができる。従って、背広上着１８０にしわがいくのを防止することができると共に、両手があくという、効果を奏する。さらに、吊るした背広上着１８０は、背中に沿うように配されるので、かさばることもない。さらに、上記の衣服掛止具１５０によれば、両手が使えるため、本や新聞を読んだり、携帯電話を使用したり、かばんの整理をしたりすることができる。
【０１２１】
また、単に、衣服掛止具１５０の一端をベルト１８５に取り付け、他端に背広上着を取り付けるだけであるので、背広上着１８０を折り畳んだり、かばんなどの他の部材にいれたりする手間がなく、非常に簡単に利用することができる。
【０１２２】
また、本実施の形態の上記の説明では、いずれも衣服掛止具１５０の使用時の状態について説明した。しかしながら、利用者が背広上着を羽織っている場合、衣服掛止具１５０は一旦不必要（未使用状態）となる。
【０１２３】
この未使用状態の場合には、衣服掛止具１５０は、図１７に示すように、丸めて、ベルト１８５に取り付けることができるようになっている。そのために、上記の巻付部１５２のＮ面（上記Ｍ面とは反対側の面）にもマジックテープ１７０が設けられている。
【０１２４】
具体的には、衣服掛止具１５０を図１４に示す状態から、引掛部１５１を中心に巻き付けて（丸めて）いき、最後に、ベルト１８５に取り付けてから、巻付部１５２のＭ面に設けられたマジックテープと、Ｎ面に設けられたマジックテープ１７０とを互いに接着させることによって、巻き付けた状態を維持して、ベルト１８５に取り付けることができる。
【０１２５】
これにより、未使用時には、いちいちかばんなどにしまう必要がなく、かつ、巻き付けた衣服掛止具１５０を単に引き伸ばすだけで、使用状態にすることができる。つまり、衣服掛止具１５０を簡便に利用することができる。なお、上記では巻き付けた状態を維持する部材としてマジックテープを挙げたが、マジックテープに限らず、ボタンやファスナーや咬合部材などでもよい。
【０１２６】
次に、図１８を用いて、上記の衣服掛止具１５０の変形例である衣服掛止具１９０について説明する。なお、この衣服掛止具１９０については、上記の衣服掛止具１５０と異なる構成のみ説明し、同一の構成については、同一の参照番号を付し、その説明を省略する。
【０１２７】
衣服掛止具１９０は、図１８に示すように、巻付部１５２および長さ調整部１５４の代わりに、連結部材１５３を巻き取って収容すると共に、ベルト１８５に衣服掛止具１９０を固定する巻き取り機構（筐体，第１固定具，長さ調整部）１９１を有している。
【０１２８】
すなわち、この巻き取り機構１９１は、連結部材１５３を巻き取って長さを調整する役割と、ベルト（身体または装身具）１８５に衣服掛止具１９０を固定する役割とを有している。
【０１２９】
そのため、巻き取り機構１９１は、収容部（収納部材）１９４と、ストッパー（切替部材）１９２と、開閉部（扉部）１９３とを有している。また、この巻き取り機構１９１の形状は、側面から見ると、半円状となっている。そして、巻き取り機構１９１は、半円の湾曲した部分に、ストッパー１９２を有していると共に、平らな部分に開閉部１９３を有している。
【０１３０】
収容部１９４は、巻き取られた連結部材１５３を内部に渦巻き状に収容する役割を有している。ストッパー１９２は、連結部材１５３の長さを固定する位置（固定位置，固定状態）と、連結部材１５３を自動で収容部１９４に巻き取る位置（巻取位置，巻取状態）とに切り替え可能となっている。具体的には、手動にてストッパー１９２を動かす（スライドさせる）ことによって、固定位置と巻取位置とを切り替えることができる。
【０１３１】
開閉部１９３は、平板状であり、ベルト１８５に衣服掛止具１９０を固定する役割を有している。そのため、開閉部１９３は、一辺が収容部１９４に固定され、該一辺を中心に開く（該一辺に対向する辺を収容部１９４から引き離す）ことができるようになっており、この開いた状態から、開閉部１９３と収容部１９４との間にベルト１８５を挟みこんで、開閉部１９３を閉じて、ベルト１８５に衣服掛止具１９０を固定することができるようになっている。なお、開閉部の１９３の閉状態における上記一辺に対向する辺（対向辺）と収容部１９４における対向辺と対向する部分とは、図示しない固定部材にて互いに固定される。
【０１３２】
これにより、衣服掛止具１９０は、衣服掛止具１５０よりも容易に、連結部材１５３の長さを調整することができると共に、不要な連結部材１５３を収容部１９４に収容することができるため、衣服掛止具１９０全体の見栄えを良くすることができる。
【０１３３】
次に、上記の衣服掛止具１５０のさらなる変形例である衣服掛止具１９５について、図１９（ａ）（ｂ）を用いて説明する。なお、この衣服掛止具１９５については、上記の衣服掛止具１５０と異なる構成のみ説明し、同一の構成については、同一の参照番号を付し、その説明を省略する。
【０１３４】
この衣服掛止具１９５は、特に、いわゆる肩掛けかばん（不図示）のベルト１９６に好適に取り付けることができるものである。この衣服掛止具１９５は、上記の衣服掛止具１５０とは異なり、長さ調整部１５４を有していない。これは、肩掛けかばんのベルト１９６は、利用者の肩口から腰の位置まで及んでいるため、利用者の身長などに合わせてベルト１９６の適当な位置に衣服掛止具１９５を取り付けることができるからである。
【０１３５】
そして、この衣服掛止具１９５は、図１９に示すように、帯状部１５３に設けられ、帯状部１５３を２つに分けることができる着脱式の連結部材１９７（ジョイント１９７ａ、ジョイント１９７ｂ）と、上記の巻付部１５２の代わりに設けられた固定部材（第１固定具）１９８とを有している。
【０１３６】
この衣服掛止具１９５の特徴は、連結部材１９７が、着脱式（切り離し可能）となっていることである。すなわち、連結部材１９７は、ジョイント１９７ａとジョイント１９７ｂとから成っており、ジョイント１９７ａとジョイント１９７ｂとが切り離し可能となっている。
【０１３７】
つまり、ジョイント１９７ｂには、ジョイント１９７ａが進入可能な第１の開口部１８７が設けられており、この第１の開口部１８７からジョイント１９７ａが入りこむことによってジョイント１９７ａとジョイント１９７ｂとが連結されるようになっている。
【０１３８】
より具体的には、ジョイント１９７ａは、押下により内へ凹み、押下される力がなくなると、外側へ突出して元の位置に戻る平板状の突出部１９９を有している。そして、ジョイント１９７ｂには、ジョイント１９７ａとジョイント１９７ｂとが接続されたときに、上記の突出部１９９が収まるような第２の開口部（窓部）１８８が設けられている。
【０１３９】
ジョイント１９７ａとジョイント１９７ｂとを互いに接続するときは、ジョイント１９７ａをその先端から、ジョイント１９７ｂの第１の開口部１８７に入れる。このとき、ジョイント１９７ａの突出部１９９が、第１の開口部１８７に押される、そして、ジョイント１９７ａがジョイント１９７ｂの内側に入りこんだとき、第２の開口部から突出部１９９が突出し、ジョイント１９７ａとジョイント１９７ｂとが連結される。
【０１４０】
また、逆に、突出部１９９を押しながら、ジョイント１９７ａとジョイント１９７ｂとを引き離すことができる。
【０１４１】
また、上記の固定部材１９８は、衣服掛止具１９５を肩掛けかばんのベルト１９６に固定する役割を有している。この固定部材１９８は、第１の固定部材１７７と、ジョイント１９７ｂと接続された第２の固定部材１７８とを有している。
【０１４２】
第１の固定部材１７７は、ベルト状になっており、自らの同一面側にマジックテープ（固定部材）１６８と、凸部を有する突起部材１６６とを有している。
【０１４３】
第２の固定部材１７８は、同じく平板状になっており、一方の面側にマジックテープ（固定部材）１６９を有しており、他方の面側に凹部を有し、ゴムなどにて形成された突起部材１６７を有している。
【０１４４】
そして、図２０に示すように、突起部材１６６の凸部と、突起部材１６７の凹部とがそれらの間にベルト１９６を配した状態で、ベルト１９６の両側から噛み合うようになっている。そして、このように噛み合わせた状態で、第１の固定部材１７７のマジックテープと、第２のマジックテープとを接着させることによって、衣服掛止具１９５をベルト１９６に固定することができるようになっている。すなわち、ベルト状の部材である第１の固定部材１７７の端部とこの端部に対向する第２の固定部材１７８における部分とを固定できるようになっている。
【０１４５】
本実施の形態のかかる衣服掛止具１００において、上記実施の形態１に記載した別の構成を適宜選択の上採用しても良い。
【０１４６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４７】
上記の通り、本発明にかかる衣服掛止具によれば、背広の上着等の衣服と、身体又はカバン等の装身具とが上記連結部材を介して連結することによって衣服を脱いだ状態であっても、手や腕を用いずに衣服を身体又は装身具に掛止することができる。また従来の携帯用ハンガーのように衣服を脱いだ後、衣服をたたみ、ハンガーにかけなおすという一連の動作を必要としないこと、及び身体や装身具と、衣服を連結した状態であっても衣服を着ることができることから、歩行中や狭い電車の中であっても、脱いだ衣服を容易に身体や装身具に掛止することができるといえる。さらに本発明にかかる衣服掛止具の使用中に衣服を着た場合であっても、当該衣服掛止具が邪魔になることが少なく機能面を損なうことはない。また衣服によって当該衣服掛止具の大部分が隠れるためにファッション性を損なうことがない。
【０１４８】
それゆえ本発明は、生活用品に関する産業、服飾産業、カバン等の装身具の製造に関する産業等に利用可能である。
【図面の簡単な説明】
【０１４９】
【図１】本発明の一実施形態を示すものであり、第２固定具の開閉状態をそれぞれ示す図である。
【図２】本発明の一実施形態を示すものであり、第１固定具又は第２固定具の種々の構成を示す概略図である。
【図３】本発明の衣服掛止具を装着した使用者を前面から見た図である。
【図４】本発明の衣服掛止具を装着した使用者を背中側から見た図である。
【図５】本発明の一実施形態を示すものであり、長さ調節機構が備わった衣服掛止具の概略図である。
【図６】本発明の一実施形態を示すものであり、長さ調節機構が備わった衣服掛止具の概略図である。
【図７】本発明の一実施形態を示すものであり、脱着部材が備わった衣服掛止具の概略図である。
【図８】本発明の一実施形態を示すものであり、連結部材を格納する筐体が備わった衣服掛止具の概略図である。
【図９】本発明の一実施形態を示すものであり、第１固定具をカバンの肩掛けヒモ等に固定する態様の概略図である。
【図１０】本発明の衣服掛止具を装着した使用者を前面及び左側面から見た図である。
【図１１】背景技術にかかる携帯用ハンガーの概略図である。
【図１２】背景技術にかかる携帯用ハンガーの概略図である。
【図１３】実施の形態３の衣服掛止具を使用者に取り付けた状態を示す概略図である。
【図１４】実施の形態３の衣服掛止具を示す斜視図である。
【図１５】実施の形態３の引掛部を背広上着の襟に引っ掛けた状態を示す説明図である。
【図１６】実施の形態３の巻付部をベルトに巻き付けた状態を示す説明図である。
【図１７】本実施の形態の衣服掛止具の未使用状態を示す説明図である。
【図１８】実施の形態３に記載の衣服掛止具の変形例である衣服掛止具を示す斜視図である。
【図１９】実施の形態３記載の衣服掛止具のさらに他の変形例である衣服掛止具を示す斜視図である。
【図２０】図１９における固定部材の断面を示す断面図である。
【符号の説明】
【０１５０】
１                            第１固定具
１ａ、１ｂ                    フック
２                            第２固定具
３                            連結部材
４、４ａ、４ｂ                面状ファスナー
５ａ、５ｂ                    ボタン
６、６’                      脱着部材
６ａ〜６ｄ                    ジョイント
７                            帯状部材
８                            第１部材
９                            第２部材
１０、１０ａ〜１０ｄ、１００  衣服掛止具
２１                          ベルト通し
２２                          襟吊り
２３                          衣服
３０                          筐体
３１                          長さ調節バックル
３２                          長さ調節部材
１０１                        滑り止め部材
１５０                        衣服掛止具
１５１                        引掛部（第２固定具；掛止部材）
１５２                        巻付部（第１固定具）
１５３                        帯状部（連結部材；帯状部材）
１５４                        長さ調整部
１６６                        突起部材（噛合部材）
１６７                        突起部材（噛合部材）
１６８                        マジックテープ（固定部材）
１６９                        マジックテープ（固定部材）
１７０                        マジックテープ
１８０                        背広上着（衣服）
１８５                        ベルト（装身具）
１９０                        衣服掛止具
１９１                        巻き取り機構（第１固定具，長さ調整部）
１９２                        ストッパー（切替部材）
１９５                        衣服掛止具
１９６                        ベルト（肩掛けかばんのベルト）
１９７                        連結部材
１９８                        固定部材（第１固定具）
【図１】
2006097220.tif 000003
【図２】
2006097220.tif 000004
【図３】
2006097220.tif 000005
【図４】
2006097220.tif 000006
【図５】
2006097220.tif 000007
【図６】
2006097220.tif 000008
【図７】
2006097220.tif 000009
【図８】
2006097220.tif 000010
【図９】
2006097220.tif 000011
【図１０】
2006097220.tif 000012
【図１１】
2006097220.tif 000013
【図１２】
2006097220.tif 000014
【図１３】
2006097220.tif 000015
【図１４】
2006097220.tif 000016
【図１５】
2006097220.tif 000017
【図１６】
2006097220.tif 000018
【図１７】
2006097220.tif 000019
【図１８】
2006097220.tif 000020
【図１９】
2006097220.tif 000021
【図２０】
2006097220.tif 000022